(57)【要約】【課題】  万遍なく靴下や足に薬剤を付着でき、また、足のべたつきをなくして、スリッパが履きやすくなる足踏みマットを提供する。【解決手段】  芯材１として、厚さが１乃至５ｃｍの気泡同士が連通しあっている連通気泡４を形成した発泡ウレタン材を用い、その芯材１の底面と側面と周縁部を、足を載せることで圧縮された前記芯材１の連通気泡４内の空気が上面のみから噴出するようにビニール製のシート２で被覆する。  そして、その芯材１の上面に消臭剤、抗菌剤、芳香剤、滑り止め剤、吸湿剤などのパウダー状の薬剤５を散布する。  さらに、そのパウダー状の薬剤５を散布した芯材１の上面全面に通気性を有するアクリル繊維製の布地３を被せて足踏みマットができあがる。【選択図】    図１
2006167067.tif 000002
【特許請求の範囲】
【請求項１】
厚さが１乃至５ｃｍの連通気泡を形成した発泡ウレタンの芯材と、
足を載せることで圧縮された前記芯材の連通気泡内の空気が上面のみから噴出するように該芯材の底面と側面と周縁部を被覆して密封した樹脂シートと、
該芯材の上面に散布したパウダー状の薬剤と、
該芯材の上面に被せた通気性布地とから成る足踏みマット。
【請求項２】
厚さが１乃至５ｃｍの連通気泡を形成した発泡ウレタンの芯材と、
足を載せることで圧縮された前記芯材の連通気泡内の空気が上面のみから噴出するように該芯材の底面と側面と周縁部を被覆して密封した樹脂シートと、
該樹脂シートの底面と芯材の底面との間に形成したパウダー状の薬剤の層と、
該芯材の上面に被せた通気性布地とから成る足踏みマット。
【請求項３】
厚さが１乃至５ｃｍの連通気泡を形成した発泡ウレタンの芯材と、
足を載せることで圧縮された前記芯材の連通気泡内の空気が上面のみから噴出するように該芯材の底面と側面と周縁部を被覆して密封した樹脂シートと、
該芯材の上面に散布したパウダー状の薬剤と、
前記樹脂シートの底面と芯材の底面との間に形成したパウダー状の薬剤の層と、
該芯材の上面に被せた通気性布地とから成る足踏みマット。
【請求項４】
パウダー状の薬剤が、消臭剤、抗菌剤、芳香剤、滑り止め剤、吸湿剤の群のうち少なくともいずれか一つである請求項１乃至３のうち少なくともいずれか一項に記載の足踏みマット。
【発明の詳細な説明】
【技術分野】
【０００１】
本発明は、玄関や室内出入口などに置いて用いる足踏みマットに関する。
【背景技術】
【０００２】
営業員など一日中靴を履いていると靴内や靴下に悪臭が発生し、そのまま室内に入ると同席者に不快な思いをさせることがある。また、蕎麦屋、小料理屋などの和風店舗では、靴を脱いで席に上がるようにした客席が増えているが、このような席に着くと折角のご馳走も足の悪臭のため食欲がそがれ不快になることもある。
【０００３】
一方、汚れた足の汚れを拭き取るための玄関用などの各種マット類に消臭剤や抗菌剤などの薬液を含浸させたものが提案されている。
それらのマット類はマット自体の消臭や抗菌を主目的にし、あわせて周囲の空気の消臭を図ろうとするものであった。
例えば、下記特許文献１に示す積層シ−トの提案では、積層する内部の多孔質シートに揮発性の芳香性、脱臭性のあるフィトンチッドを含ませたものが玄関マットなどにも使用できると記されている。そしてこの積層シートの場合は、フィトンチッドを室内空気中に放出して室内の空気を脱臭できれば良いので、用いるシート自体は薄いものが使用されている。
したがって仮にこの積層シ−トを足の消臭を目的に使用としても、図７の（イ）に示すように、シ−トＢにでは、載せた足Ａの沈み込みが殆どないので、ほんの一部には付着できる（図７の（イ）の右図Ｄ部分参照）が足Ａの指の間などにまでフィトンチッドを付着させることはできず、そこで、増量してフィトンチッドを足裏に付着し易くしようとすると、その液体で足裏のべたつきが増し、スリッパを履こうとする場合に履き難くなることが推測される。
【０００４】
また、それとは別に、用いる基布にパイル糸をタフティングし、そのパイル糸の間隙に機能性粉体を充填した下記特許文献２に示すカーペットが提案されている。
このカーペットは、機能性粉体によりパイルの倒れを防止しすることを主眼とし、あわせてその機能性粉体によってカーペット自体の吸水性、消臭性、芳香性などの機能を付与するものであり、機能性粉体を足の裏に積極的に付着させようとする機能はない。
これを仮に玄関マットに使用した場合には、足を拭いたときにパイル糸が汚れ、この汚れは簡単に落とすことができないので、汚れによって短期間で使用できなくなる可能性がある。したがって、元々足を拭くためのものではないカーペットとしてはそれで良いかもしれないが、玄関マットに適するものではなかった。
【０００５】
上記のいずれの文献にもあるように、従来は積層シ−トやカーペットそのものの消臭や抗菌の機能を持たせようとしたものはあっても、消臭剤や抗菌剤を足の裏に積極的に付着させようとする着想のものはなかったので、悪臭を放つ靴下を履いた人が室内に居るとその悪臭が室内に漂うのを防ぐ手立てがなかった。
【特許文献１】特開平５−１１１９８２号公報
【特許文献２】実用新案登録第２５４１２５１号公報
【発明の開示】
【発明が解決しようとする課題】
【０００６】
本発明は上記背景技術に鑑み、靴下や足の裏のできるだけ広範囲にパウダー状の消臭剤、抗菌剤、芳香剤などを付着させることで靴下や足に対して充分にその消臭、抗菌及び芳香などの機能を発揮できるようにし、さらにそのパウダーによって足のべたつきをなくしてスリッパを履きやすくすることができる足踏みマットを提供するものである。
【課題を解決するための手段】
【０００７】
上記課題を解決するために、本発明の足の踏みマットは、厚さが１乃至５ｃｍの連通気泡を形成した発泡ウレタンの芯材の底面と側面と周縁部を、足を載せることで圧縮された前記芯材の連通気泡内の空気が上面のみから噴出するように樹脂シートで被覆密封し、その芯材の上面にパウダー状の薬剤を散布し、さらにその芯材の上面に通気性布地を被せたものである。
【０００８】
請求項２に記載の発明は、厚さが１乃至５ｃｍの連通気泡を形成した発泡ウレタンの芯材の底面と側面と周縁部を、足を載せることで圧縮された前記芯材の連通気泡内の空気が上面のみから噴出するように樹脂シートで被覆密封し、その樹脂シートの底面と芯材の底面との間にパウダー状の薬剤の層を形成し、その芯材の上面に通気性布地を被せたものである。
【０００９】
請求項３に記載の発明は、厚さが１乃至５ｃｍの連通気泡を形成した発泡ウレタンの芯材の底面と側面と周縁部を、足を載せることで圧縮された前記芯材の連通気泡内の空気が上面のみから噴出するように樹脂シートで被覆密封し、その樹脂シートの底面と芯材の底面との間にパウダー状の薬剤の層を形成し、その芯材の上面にパウダー状の薬剤を散布し、さらにその芯材の上面に通気性布地を被せたものである。
【００１０】
請求項４に記載の発明は、上記各請求項に記載の発明において、前記パウダー状の薬剤として、消臭剤、抗菌剤、芳香剤、滑り止め剤、吸湿剤の群のうち少なくともいずれか一つの薬剤を使用したものである。
【発明の効果】
【００１１】
本発明は上記構成であり、芯材の発泡ウレタンが独立気泡ではなく気泡相互が連通し表面に開いた連通気泡なので、本足踏みマットの上に足を乗せると、その連通気泡内部にあった空気が圧迫されて、樹脂シートの密封されている底面と側面と周縁部への逃げ場を失い、その空気が開放されている芯材の上面のみから通気性布地を通過して乗せた足に向かって放出される。
この時、芯材の上面に散布してある消臭剤、抗菌剤、芳香剤、滑り止め剤、吸湿剤などのパウダー状の薬剤が気泡内から勢いよく放出された空気と一緒に通気性布地を通過して放出される。
その際、そのパウダー状の薬剤は、その上に乗っている靴下や足の指の間などまで広範囲に付着する。
このようにして靴下や足に付着したパウダー状の薬剤の機能により使用者本人に対しての消臭、抗菌、芳香などの機能を持続的に発揮させることができる。
また、汗で湿気があってもそのパウダー状の薬剤で付着した足や靴下のべたつきが解消され、スリッパを履く場合にはスムーズに履けるようになる。
なお、足拭きで汚れた通気性布地は剥がして洗濯することができるので、消臭、抗菌、芳香、滑り止め、吸湿などの機能を失わずに容易に清潔さを保つことができる利点がある。
【００１２】
また、これを繰り返し使用することで、芯材の底面下にあるパウダー状の薬剤の層や、芯材の上面に載せたパウダー状の薬剤が、ウレタン内部の連通気泡内に凹み箇所の復元による空気の吸入にともに取り込まれる。そして、そのウレタン内部の連通気泡内に蓄えられたパウダー状の薬剤はマットを足で踏むごとに毎回且つ長期間にわたり空気と一緒に通気性布地を通過して使用者の足裏の広範囲に付着させることが可能となった。
【発明を実施するための最良の形態】
【００１３】
本発明の実施の形態を以下説明する。
本発明の足踏みマットは、図１及び図２に示すように、芯材１として、厚さが１乃至５ｃｍの気泡同士が連通しあっている連通気泡４を形成した発泡ウレタン材を用い、その芯材１の底面と側面と周縁部はビニール製のシート２で被覆する。
そして、その芯材１の上にパウダー状の薬剤５を散布する。
さらにそのパウダーを散布した芯材１の上面全面に通気性を有するアクリル繊維製の布地３を被せる。
前記パウダー状の薬剤５は、消臭剤６、抗菌剤７、芳香剤、滑り止め剤及び吸湿剤の群のうち少なくともいずれかを用いる。
これに用いるパウダー状の薬剤５は、通常販売使用されている消臭、抗菌、芳香、滑り止め及び吸湿機能を有するものが使用でき、連通気泡４内を通過しやすいより微粉塵で肌理の細かいものが最適である。
【００１４】
以上の如く構成した本発明は、前記芯材１に連通気泡４を形成した発泡ウレタンを使用することによって、その芯材１の上に足Ａを乗せると、図５に示すように、乗せた部分が大きく陥没する。
その際に、連通気泡４内部にあった空気が圧迫されると、芯材１の底面と側面と周縁部を密封した樹脂シート２で被服されているので底面と側面と周縁部への逃げ場を失って、図４に示すように、通気性布地３を被せてある芯材１の上面のみから前記パウダー状の薬剤５を伴って通気性布地を通過し、乗せた足Ａに向かって放出される。
このとき、図５の右図に示すように、放出されたパウダー状の薬剤５が足の裏の広範囲に付着し、その付着した薬剤５が足Ａの悪臭をしばらく消臭し続ける。
【００１５】
そして足を上げて離すと、発泡ウレタンは復元性があるので凹んだ部分が元通りに復元し、その際に芯材１の底面と側面と周縁部は密封されているので、発泡ウレタンの上面に載せあるパウダー状の薬剤５が連通気泡４内部に空気と一緒にゆっくりと吸い込まれる。
そしてまた発泡ウレタンの上に足を乗せると、連通気泡４内部に取り込まれた薬剤５の一部と表面に散布してある一部が空気の放出とともに通気性布地３の隙間から表面へ放出される。そして、このときまた足の裏に薬剤５が付着する。
【００１６】
また、前記樹脂シート２の底面と前記芯材１の底面との間にパウダー状の薬剤の層８を形成した形態では、足を乗せても最初のうちはパウダー状の薬剤がウレタン材表面から放出されないが、何度か使用しているうちに、空気の動きにつられて連通気泡４の下部からウレタン材表面に上昇して行き、踏むごとにその薬剤５が空気と一緒に通気性布地を通過して足に向かって放出されようになる。
これを繰り返すことで、足を乗せた時に芯材１内部から、より長期間にわたり放出が繰り返され、通気性布地を通過して、毎回足裏の広範囲に万遍なく前記パウダー状の薬剤５を付着させることが可能となる。
さらに、図５に示すように、前記芯材１の上面にパウダー状の薬剤５を散布し且つ前記樹脂シート２の底面と前記芯材１の底面との間にパウダー状の薬剤の層８とを形成した形態では、最初から前記パウダー状の薬剤５を足に付着させることができ且つ前記芯材１の底面にあるパウダー状の薬剤５が放出し尽くされるまで長期間にわたって使用することが可能となる。
【００１７】
このように、芯材１の底面と側面と周縁部は樹脂シート２で密封されているので、開放されている芯材１の上面のみから連通気泡４内に空気の吸入と放出とを繰り返して、図３に示すように、芯材１内部深くまでパウダー状の薬剤５が取り込まれる。
このような空気によるパウダー状の薬剤５の取り込み放出機能を発揮させるために、発泡ウレタンの厚さは１乃至５ｃｍとする。この厚さであれば足Ａを載せた時に沈み込みが約１〜３ｃｍ程度の深さになり、その機能を充分維持することが可能となる。
【００１８】
なお、足で汚れる最上面の通気性布地３は、アクリル繊維などの合成繊維を使用でき、その布を芯材１に対しては、周囲に面ファスナーなどの付着手段を設ければ簡単に付着固定できる。
そして汚れたらその面ファスナーを剥がして洗濯することによって清潔を維持できる。
また、内部の芯材１の発泡ウレタンも取り出して揉み洗することができる。
【００１９】
なお、独立気泡の発泡ウレタンでは、図７の（ロ）に示すように、発泡ウレタンＣの上に足を乗せても、気泡同士が連通していないので空気の出入りがなく、一応足を乗せた部分が独立気泡内の空気の圧縮で少し凹むが、足を離すと瞬時に復元を起こし、上面に空気の吹き上げがない。このため、足の裏にはパウダーがほんの一部（図７の（ロ）の右図Ｄ部分参照）にしか付着しないため、本発明には適さない。
【産業上の利用可能性】
【００２０】
本発明は、玄関マットや出入口用マット以外にもキチンマットなど各種の足踏み用のマットに利用することができる。
【図面の簡単な説明】
【００２１】
【図１】本発明の模式的縦断斜視図である。
【図２】模式的縦断側面である。
【図３】使用状態を示す模式的縦断側面である。
【図４】請求項１の発明の形態の拡大した要部の模式的縦断側面である。
【図５】請求項１の発明の形態の使用状態を示す拡大した要部の模式的縦断側面である。
【図６】請求項３の発明の形態の拡大した要部の模式的縦断側面である。
【図７】（イ）が積層シ−トの、（ロ）が独立気泡の発泡ウレタンを用いた比較品の使用状態を示す模式的縦断側面である。
【符号の説明】
【００２２】
１    連通気泡性ウレタンの芯材
２    樹脂シート
３    通気性布地
４    連通気泡
５    パウダー状の薬剤
６    消臭剤
７    抗菌剤
８    パウダー状の薬剤の層
Ａ    足指
Ｂ    シート
Ｃ    独立気泡の発泡ウレタン
Ｄ    消臭剤
【図１】
2006167067.tif 000003
【図２】
2006167067.tif 000004
【図３】
2006167067.tif 000005
【図４】
2006167067.tif 000006
【図５】
2006167067.tif 000007
【図６】
2006167067.tif 000008
【図７】
2006167067.tif 000009